(57)【要約】【課題】  カメラ付き携帯電話機を適宜の位置にセットして行う撮影に関して、撮影者の意志で決め得る最適なタイミングでの撮影を行い得るようにする。【解決手段】  着信撮影モードを指令するための操作入力手段と、着信撮影モードの指令に応じて着信撮影モードを設定し且つ着信を拒否する着信拒否モードを設定するモード制御手段と、着信撮影モード下で取得した電話番号を着信番号に設定し且つメールアドレスを送信宛先に設定する着信撮影準備手段と、着信拒否モード下で着信番号からの着信を許可するモード修正手段と、着信番号からの着信に応じてカメラ撮影を実行し送信宛先へ画像データを送信する着信撮影制御手段と、を有するカメラ付き携帯電話機。【選択図】      図３
2005101867.tif 000002
【特許請求の範囲】
【請求項１】
カメラ付き携帯電話機であって、
着信撮影モードを指令するための操作入力手段と、
前記着信撮影モードの指令に応じて着信撮影モードを設定し、且つ、着信を拒否する着信拒否モードを設定する、モード制御手段と、
前記着信撮影モード下で取得した電話番号を着信番号に設定し、前記着信撮影モード下で取得したメールアドレスを送信宛先に設定する、着信撮影準備手段と、
前記着信拒否モード下で前記着信番号からの着信を許可するモード修正手段と、
前記着信番号からの着信に応じてカメラ撮影を実行し、前記送信宛先が設定されている場合は該送信宛先へ画像データを送信する着信撮影制御手段と、
を有することを特徴とする携帯電話機。
【請求項２】
カメラ付き携帯電話機であって、
着信撮影モードを指令するための操作入力手段と、
前記着信撮影モードの指令に応じて着信撮影モードを設定し、且つ、着信を拒否する着信拒否モードを設定する、モード制御手段と、
前記着信撮影モード下で取得した電話番号を着信番号に設定し、前記着信撮影モード下で取得したメールアドレスを送信宛先に設定する、着信撮影準備手段と、
前記着信拒否モード下で前記着信番号からの着信を許可するモード修正手段と、
前記着信番号からの着信に応じて発信側との回線を接続し、発信側からの所定の指令信号に応じてカメラ撮影を実行し、前記送信宛先が設定されている場合は該送信宛先へ画像データを送信する着信撮影制御手段と、
を有することを特徴とする携帯電話機。
【請求項３】
請求項１、又は請求項２に於いて、さらに、
前記着信撮影モードの指令に応じて起動し、交換相手機との名刺交換により該交換相手機の電話番号とメールアドレスを取得する名刺交換制御手段、
を有することを特徴とする携帯電話機。
【発明の詳細な説明】
【技術分野】
【０００１】
本発明は、カメラ機能を備えた携帯電話機に関する。詳しくは、着信撮影モードに於いて、所定の携帯電話機からの着信に応答して撮影を実行し、該撮影した画像を所定の宛先へ送信する機能を備えた携帯電話機に関する。
【背景技術】
【０００２】
カメラ機能を備えた携帯電話機は周知である。
【０００３】
所定位置に固定的に設置されて室内監視カメラ等として用いられる装置であって、携帯電話機からの着信に応答して撮影を実行し、該撮影した画像の画像データを発呼元の携帯電話機へ送信する機能を備えた装置が開示されている（特許文献１，参照）。
証明写真等を撮影するための自動写真撮影装置（フォトカプセル）であって、携帯電話機を情報入力装置として用いて個人情報を入力し、入力した個人情報と撮影した画像とを所定のサーバへ送信する装置が開示されている（特許文献２，参照）。
内蔵の電話帳に登録の無い電話番号や発信者番号が通知されない電話番号からの着信を拒否するとともに、着信拒否モードとして複数のモードの中から選択したモードを予め設定可能な携帯電話機が開示されている（特許文献３，参照）。
２台の携帯電話機間に於いて赤外線通信を利用してお互いの名刺データを交換する送受信システムが開示されている（特許文献４，参照）。
【０００４】
【特許文献１】特開２００３−２２４８８３
【特許文献２】特開２００３−２３００７８
【特許文献３】特開２００３−１２５０６６
【特許文献４】特開２００２−０２７０３７
【発明の開示】
【発明が解決しようとする課題】
【０００５】
カメラ付き携帯電話機の持ち主（撮影者）を含めた全員で写真撮影する場合には、該携帯電話機を適宜の位置にセットし、セルフタイマ機能を用いて撮影している。しかし、セルフタイマ撮影ではベストのタイミングで撮影することは困難であり、被写体各人の表情等も不自然なものとなりがちである。このため、撮影者の意志で決め得る最適なタイミングで撮影できるようにしたいという要望がある。
野鳥等のような接近し難い被写体を、カメラ付き携帯電話機を用いて気軽に撮影したいという要望がある。しかし、カメラ付き携帯電話機には十分な望遠機能が無いため、そのような撮影では、携帯電話機を予め適宜の位置にセットしておき、野鳥等の接近を待って撮影する必要がある。その場合、セルフタイマ機能を用いる他ないが、セルフタイマ機能では、上述したように、ベストのタイミングで撮影することは困難である。
本発明は、カメラ付き携帯電話機を適宜の位置にセットして行う撮影に関して、撮影者の意志で決め得る最適なタイミングでの撮影を可能とすることを目的とする。
【課題を解決するための手段】
【０００６】
本発明は、下記［１］〜［３］のように構成される。
［１］構成１：
カメラ付き携帯電話機であって、
着信撮影モードを指令するための操作入力手段と、
前記着信撮影モードの指令に応じて着信撮影モードを設定し、且つ、着信を拒否する着信拒否モードを設定する、モード制御手段と、
前記着信撮影モード下で取得した電話番号を着信番号に設定し、前記着信撮影モード下で取得したメールアドレスを送信宛先に設定する、着信撮影準備手段と、
前記着信拒否モード下で前記着信番号からの着信を許可するモード修正手段と、
前記着信番号からの着信に応じてカメラ撮影を実行し、前記送信宛先が設定されている場合は該送信宛先へ画像データを送信する着信撮影制御手段と、
を有することを特徴とする携帯電話機。
操作入力手段は、例えば、機能キーと所定の数値キーの組合せ等のキー入力手段でもよいが、例えば、適宜の位置にカメラ付き携帯電話機を安定した姿勢で置くべく当該携帯電話機を簡易三脚の如く展開する「操作」を操作入力手段としてもよい。また、展開に代えて、当該携帯電話機から簡易三脚の如き部材を引き出す「操作」を操作入力手段としてもい。かかる簡易三脚実現部材は、携帯電話機の形態やカメラの配置部位等を考慮して、適宜に携帯電話機に組み込むことができる。
着信拒否モードは、カメラ撮影への悪影響を回避するために設定される。着信拒否モードとしては、例えば、（１）着信音の鳴動、バイブレータの振動、ライトの点滅等の着信報知手段をオフするモード、（２）着信報知手段をオフするとともに留守番電話機能を起動するモード、（３）着信報知手段をオフするとともに所定のメッセージ（撮影中／電源オフ／圏外，等）を返すモード、等を挙げることができる。
【０００７】
［２］構成２：
カメラ付き携帯電話機であって、
着信撮影モードを指令するための操作入力手段と、
前記着信撮影モードの指令に応じて着信撮影モードを設定し、且つ、着信を拒否する着信拒否モードを設定する、モード制御手段と、
前記着信撮影モード下で取得した電話番号を着信番号に設定し、前記着信撮影モード下で取得したメールアドレスを送信宛先に設定する、着信撮影準備手段と、
前記着信拒否モード下で前記着信番号からの着信を許可するモード修正手段と、
前記着信番号からの着信に応じて発信側との回線を接続し、発信側からの所定の指令信号に応じてカメラ撮影を実行し、前記送信宛先が設定されている場合は該送信宛先へ画像データを送信する着信撮影制御手段と、
を有することを特徴とする携帯電話機。
カメラ撮影のトリガとされる「所定の指令信号」としては、例えば、発信側の携帯電話機での所定の機能キーや所定の数値キーからの入力を採用することができる。また、発信側の携帯電話機がカメラ付き携帯電話機である場合には、該カメラのシャッターを動作させるための入力を「所定の指令信号」として採用してもよい。
【０００８】
［３］構成３：
前記構成１又は構成２に於いて、さらに、
前記着信撮影モードの指令に応じて起動し、交換相手機との名刺交換により該交換相手機の電話番号とメールアドレスを取得する名刺交換制御手段、
を有することを特徴とする携帯電話機。
名刺交換は、例えば、赤外線通信等のような公知の近接通信方式を用いて行うことができる。名刺交換により取得した交換相手機のデータは、通常の名刺交換と同様にメモリの所定のエリアに保存されるとともに、電話番号は前記着信番号として設定され、メールアドレスは前記送信宛先として設定される。
【発明の効果】
【０００９】
前記構成１では、着信撮影モードが指令されると、着信撮影モードとともに着信拒否モードが設定されるため、撮影中の着信報知（着信音の鳴動，バイブレータの振動，ライトの点滅等）によってカメラ撮影動作が悪影響を受ける恐れはない。
また、着信番号に設定された電話番号を持つ別の携帯電話機から本発明のカメラ付き携帯電話機を呼び出すことにより撮影を行うため、撮影者の意志で撮影タイミングを支配することができ、最適なタイミングで撮影することができる。
【００１０】
前記構成２では、着信番号に設定された電話番号を持つ別の携帯電話機と本発明のカメラ付き携帯電話機とを接続した後、該別の携帯電話機からの「所定の指令信号」によって撮影を行うため、発呼〜着信間の時間遅れもなく、撮影者の意志で撮影タイミングを完全に支配することができ、より最適なタイミングで撮影することができる。なお、着信拒否モードの設定による効果は当然に得ることができる。
【００１１】
前記構成３では、交換相手機との名刺交換により該交換相手機の電話番号とメールアドレスを取得するため、着信番号の設定やメールアドレスの設定を、簡単な操作で容易に行うことができる。なお、構成１及び／又は構成２が持つ効果は当然に得る。
【発明を実施するための最良の形態】
【００１２】
図面を参照して本発明の実施の形態を説明する。
図１は実施の形態の携帯電話機の構成を示すブロック図、図２は図１内の名刺テーブルと動作モードテーブルの構成を示す説明図である。
本発明の実施の形態のカメラ付き携帯１は、制御部１０、ディジタルカメラ１１、液晶表示装置（ＬＣＤ）１２、音声入力装置（マイク）１３、音声出力装置（スピーカー）１４、入力装置（テンキー等）１５、送受信部１６、赤外線送受信部１７、記憶装置（メモリ）１８等を有する。
赤外線送受信部１７は、他の携帯電話機との間で赤外線通信方式により名刺データを送受信するために用いられる。
メモリ１８には、カメラ１１で撮影した画像や他の機器（不図示）から送られて送受信部１６で受信した画像の画像データが記憶される。
また、メモリ１８には、動作モードの設定／解除を管理するための動作テーブルが保持されている。動作モードとしては、図２下段に例示するように、通話モード、留守番モード、着信撮影モード、着信拒否モード等がある。これらの動作モードは、設定フラグのセット「１」／リセット「０」により管理される。図２に、着信撮影モードと着信拒否モードをセットした状態を示す。
また、メモリ１８には、名刺テーブルが保持されている。名刺テーブルは、氏名・電話番号・メールアドレス等の項目名の名刺データを管理するとともに、着信拒否モード下での着信拒否の解除を管理するための着信許可フラグや、撮影画像の送信宛先を管理するための自動送信フラグを管理する。
メモリ１８には、また、カメラ用のセルフタイマの設定値が記憶される。
他の携帯電話機２の構成は、本発明の実施の形態のカメラ付き携帯電話機１と同じでもよいが、カメラ付き携帯電話機１に着信できれば足りるため、例えば、カメラ付きでなくてもよい。
【００１３】
図３のフローチャートに即して、着信撮影モードの処理Ａを説明する。処理Ａは、着信番号の形態電話機からの着信に応答してカメラ撮影と画像送信を行う処理である。
ユーザの操作入力により着信モードが指令されると（Ｓ０１でＹＥＳ）、着信撮影モードと着信拒否モードを設定する（Ｓ０３）。ここでは、動作モードテーブルの着信撮影フラグと着信拒否フラグをセット「１」し、他のフラグをリセット「０」する。
【００１４】
次に、名刺交換機能を起動して、名刺交換による入力又は着信番号入力を待機する（Ｓ０５）。即ち、名刺交換により赤外線送受信部１７にて受信した名刺交換相手機の名刺データが赤外線送受信部１７から制御部１０へ入力されること、又は、入力装置１５から制御部１０へ電話番号が入力されること、を待機する（Ｓ０５）。
【００１５】
名刺交換相手機の名刺データが赤外線送受信部１７から制御部１０へ入力されると（Ｓ０７でＹＥＳ）、当該名刺データが持つ電話番号を着信番号に設定し、当該名刺データが持つメールアドレスを送信宛先に設定する（Ｓ０９）。具体的には、名刺テーブルに当該名刺データ用のレコードを作成して各データをそれぞれ該当欄へ入力し、且つ、着信許可フラグと自動送信フラグをそれぞれセット「１」する。なお、名刺交換相手機の名刺データのレコードが既に存在する場合は、該レコードの着信許可フラグと自動送信フラグをそれぞれセット「１」すれば足りる。
次に、上記で設定した着信番号についてのみ着信拒否モードを適用しないように設定する（Ｓ１５）。即ち、送受信部１６にて着信が検出されると、発信元が着信番号の機器か否かチェックし、着信番号以外の電話番号の場合（電話番号を通知しない発信元の場合を含む）は所定の着信拒否モードを実行し、着信番号に合致する電話番号の場合は着信拒否モードを実行しないように設定する（Ｓ１５）。
【００１６】
前記待機中に入力装置１５から制御部１０へ電話番号が入力された場合は（Ｓ１１でＹＥＳ）、当該電話番号を着信番号に設定し、且つ、所定のメールアドレスを送信宛先に設定する（Ｓ１３）。所定のメールアドレスとは、例えば、当該カメラ付き携帯電話機の持ち主のメールアドレスである。なお、ステップＳ１３に於いて送信宛先を設定しない処理を採用してもよい。その場合には、撮影した画像は送信されず、当該カメラ付き携帯電話機のメモリに蓄積される。
次に、設定した着信番号についてのみ着信拒否モードを適用しないように設定する（Ｓ１５）ことは、上記と同様である。
【００１７】
ステップＳ２１では着信番号からの着信を待機する。
着信が受け付けられると（Ｓ２１でＹＥＳ）、換言すれば、送受信部１６にて着信が検出され、且つ、該着信の発信元が着信番号に合致する電話番号であったために着信拒否モードが実行されなかった場合は（Ｓ２１でＹＥＳ）、カメラ撮影を実行し（Ｓ２３）、該撮影した画像を送信宛先へ送信する（Ｓ２５）。なお、セルフタイマをセットしていた場合は、着信の受付後、該セルフタイマの時間経過後にカメラ撮影を実行し（Ｓ２３）、該撮影した画像を送信宛先へ送信する（Ｓ２５）。
以上の処理、即ち、着信受付に応答して（Ｓ２１でＹＥＳ）、カメラ撮影及び画像送信を行う処理（Ｓ２３，Ｓ２５）は、ユーザの操作入力によって着信撮影モードが解除されるまで繰り返される。
【００１８】
ユーザの操作入力によって着信撮影モードが解除されると（Ｓ２７でＹＥＳ）、着信拒否モードを解除し、着信番号及び送信宛先をクリアして（Ｓ２９）、本処理を終了する。即ち、着信拒否フラグをリセット「０」し、名刺データテーブル内該当レコードの着信許可フラグ及び自動送信フラグをリセット「０」して（Ｓ２９）、本処理を終了する。
【００１９】
図４に、図３とは若干異なる着信撮影モードを示す。図４の処理は、着信後、所定の指令信号の受信を待ってカメラ撮影・画像送信を行う処理である。
図４の処理は図３の処理と略同様であるため、図３と同じ処理には同じステップ番号を付して示し、説明を省略する。
図４の処理が図３の処理と異なる点は、カメラ撮影のタイミングである。
即ち、前記図３の処理では、着信受付に応答して（Ｓ２１でＹＥＳ）カメラ撮影と画像送信を行っている（Ｓ２３，Ｓ２５）が、図４の処理では、着信受付に応答して（Ｓ２１でＹＥＳ）発信元携帯電話機との通信回線を接続し（Ｓ２２ａ）、その後、発信元携帯電話機からの所定の指令信号の受信に応答して（Ｓ２２ｂでＹＥＳ）、カメラ撮影と画像送信を実行する（Ｓ２３，Ｓ２５）。
このように処理するため、発呼〜着信間の遅延が無く、操作者の支配するタイミングで撮影を行うことができ、より最適なタイミングでの撮影が可能となる。
【図面の簡単な説明】
【００２０】
【図１】実施の形態のカメラ付き携帯電話機の構成を示すブロック図。
【図２】図１内の名刺テーブルの構成と、動作モードテーブルの構成を示す説明図。
【図３】着信撮影モードの処理Ａを示すフローチャート。
【図４】着信撮影モードの処理Ｂを示すフローチャート。
【符号の説明】
【００２１】
１  カメラ付き携帯電話機
２  別の携帯電話機
１０  制御部
１１  カメラ
１７  赤外線送受信部
１８  記憶装置
【図１】
2005101867.tif 000003
【図２】
2005101867.tif 000004
【図３】
2005101867.tif 000005
【図４】
2005101867.tif 000006